(57)【要約】一対の主桁、少なくとも１つの横桁、および床パネルを備えるモジュール式床。一対の主桁の各々は、取付構造を有する。取付構造は、第１の支持セクション、第２の支持セクション、および第１と第２の支持セクション間に延びる溝を備える。第１と第２の支持セクションは、凸状上面を有する。少なくとも１つの横桁は、主桁と係合して、主桁を互いに関して固定位置に保持する。床パネルは、第１と第２のセクションの上面と相補的な形状の凹部をそれぞれ備える端部を有する。
2006526717.tif 000002
【特許請求の範囲】
【請求項１】
取付構造を各々有する少なくとも２つの主桁を有し、前記取付構造は、第１の支持セクション、第２の支持セクション、および前記第１と第２の支持セクション間に延びる溝を有する少なくとも２つの主桁とを有しており、
前記主桁を係合して、前記主桁を互いに対してほぼ固定された位置に保持する少なくとも１つの横桁を有し、および
端部を有する床パネルを有し、端部の各々は、前記第１及び第２のセクションの上面の少なくとも一部分とほぼ相補的な形状の凹部を備えている、
モジュール式床。
【請求項２】
前記第１と第２の支持セクションは、凸状上面を形成する請求項１に記載のモジュール式床。
【請求項３】
前記主桁の各々は、第１の端部と第２の端部を有し、ボルトが、前記第１の端部に近接して前記主桁へ取付けられ、また前記第２の端部はロック機構を有する請求項１に記載のモジュール式床。
【請求項４】
前記ロック機構は、前記ボルトを受容するための凹部とロック歯アッセンブリとを備え、前記ロック歯アッセンブリは、ロック位置とロック解除位置との間で移動自在であり、また前記ボルトは、前記ロック歯アッセンブリが前記ロック位置にあるときに、前記凹部内に保持される請求項３に記載のモジュール式床。
【請求項５】
前記主桁の各々は、少なくとも１つの延長部材を備える少なくとも１つの側壁を有し、前記延長部は、取付ブラケットの一部分へ適応され、また前記横桁は、前記取付ブラケットを使用して前記主桁へ取付けられる請求項１に記載のモジュール式床。
【請求項６】
前記主桁の各々は、その下面へ取付けられた支柱を備える請求項１に記載のモジュール式床。
【請求項７】
前記横桁は、主セクション、および前記主セクションの両端部へ装着される端部セクションを備える請求項１に記載のモジュール式床。
【請求項８】
前記床パネルは、
床板と、
前記両端部へ近接して前記床板の下面へ取付けられる床端桁と、
前記床端桁間に延びる床側桁とを備える請求項１に記載のモジュール式床。
【請求項９】
前記床パネルを前記主桁の１つに脱着自在に取付けられるロック機構をさらに備える請求項１に記載のモジュール式床。
【請求項１０】
前記ロック機構は前記溝の両側にネジ係合する請求項９に記載のモジュール式床。
【請求項１１】
前記ロック機構は前記床パネルの上面から操作可能であるように、前記床パネルへ操作可能に取付けられる請求項９に記載のモジュール式床。
【請求項１２】
前記主桁から延びる少なくとも１つの脚部材をさらに備える請求項１に記載のモジュール式床。
【請求項１３】
前記主桁と前記少なくとも１つの脚部材との間に延びる主桁安定部材をさらに備える請求項１２に記載のモジュール式床。
【請求項１４】
前記横桁と前記少なくとも１つの脚部材との間に延びる横桁安定部材をさらに備える請求項１２記載のモジュール式床。
【請求項１５】
モジュール式床を組立てる方法であって、
少なくとも２つの主桁を設ける段階を有し、ここで主桁は各々取付構造を有し、前記取付構造は、第１の支持セクション、第２の支持セクション、および前記第１と第２の支持セクション間に延びる溝を備えており、
前記少なくとも２つの主桁に少なくとも１つの横桁を取付けて、互いに関してほぼ固定状態で前記主桁を保持する段階を有し、
床パネルを前記第１と第２のセクションの上面へ取付ける段階を有し、ここで、前記床パネルの両端部は、前記第１と第２のセクションの前記上面とほぼ相補的な形状を有する凹部が形成されている、方法。
【請求項１６】
前記第１と第２の支持セクションは凸状上面を形成する請求項１５に記載の方法。
【請求項１７】
前記主桁の各々は、第１の端部と第２の端部とを有し、ボルトが、前記第１の端部に近接して前記主桁へ取付けられ、また前記第２の端部はロック機構を有する請求項１５に記載の方法。
【請求項１８】
前記ボルトを受容するための凹部を前記ロック機構に設ける段階と、
ロック位置とロック解除位置との間で移動自在であるロック歯アッセンブリを前記ロック機構に取付ける段階と、
ロック歯アッセンブリがロック位置にあるときに、前記ボルトを前記凹部内に保持する段階とをさらに含む請求項１７に記載の方法。
【請求項１９】
前記主桁の各々は、少なくとも１つの延長部分を備える少なくとも１つの側壁を有し、前記横桁は、前記少なくとも１つの延長部分と係合する取付ブラケットを使用して前記主桁へ取付けられる請求項１５に記載の方法。
【請求項２０】
支柱を前記主桁の下面へ取付ける段階をさらに含む請求項１５に記載の方法。
【請求項２１】
前記横桁は、主セクション、および前記主セクションの両端部へ取付けられる端部セクションを備える請求項１５に記載の方法。
【請求項２２】
前記床パネルは、床板と、前記両端部へ近接して前記床板の下面へ取付けられる床端桁と、前記床端桁間に延びる床側桁とを備える請求項１５に記載の方法。
【請求項２３】
ロック機構を使用して、床パネルを前記主桁の１つに取付ける段階をさらに含む請求項１５に記載の方法。
【請求項２４】
前記ロック機構は、前記溝の両側にネジ係合する請求項２３に記載の方法。
【請求項２５】
前記ロック機構は前記床パネルの上面から操作可能であるように、前記床パネルへ操作可能に取付けられる請求項２３に記載の方法。
【請求項２６】
少なくとも１つの脚部材を前記主桁に取付ける段階をさらに有する請求項１５に記載の方法。
【請求項２７】
前記主桁と前記少なくとも１つの脚部材との間に主桁安定部材を取付ける段階をさらに有する請求項２６に記載の方法。
【請求項２８】
前記横桁と前記少なくとも１つの脚部材との間に横桁安定部材を取付ける段階をさらに有する請求項２６記載の方法。
【発明の詳細な説明】
【技術分野】
【０００１】
本発明は、一般にモジュール式床に関する。特に本発明は、テントに使用されるモジュール式床に関する。
【背景技術】
【０００２】
多くの状況において、床を一時的使用のために施工するのが望ましい。その床は、組立体と分解が容易でなければならないし、かつその上に載置される重量を支持するに足るように強力でなければならない。
【０００３】
モジュール式床張りシステムが、Ｔａｉｐａｌｅなどに付与された米国特許第５，８４８，５０１号および第６，１０６，１８６号に開示され、それらの特許は、本出願の譲受人へ譲渡されている。そのモジュール式床張りシステムは、支柱で桁を摺動自在に相互係止する自在接合具機構を使用する。
【０００４】
他のモジュール式床張りシステムが、Ｔｈｉｅｄｅに付与された米国特許第６，５８１，３３９号に開示され、その特許は、本出願の譲受人へ譲渡されている。このモジュール式床張りシステムは、オーケストラ席を張り、それにより、モジュール式床に隣接するステージにほぼ整合する床を形成するのに特に適している。
【特許文献１】米国特許第５８４８５０１号
【特許文献２】米国特許第６１０６１８６号
【特許文献３】米国特許第６５８１３３９号
【特許文献４】米国特許第３１８０４６０号
【特許文献５】米国特許第５７６８８５０号
【発明の開示】
【発明が解決しようとする課題】
【０００５】
本発明は、主桁、および共に装着されて格子を形成する横桁を一般に備えるモジュール式床である。モジュール式床は、格子へ装着される複数の床パネルも備える。
【発明を実施するための最良の形態】
【０００６】
本発明は、図１に最も明確に図示されるようにモジュール式床である。モジュール式床１０は、主桁２０、横桁２２、および床パネル２４を一般に備える。モジュール式床１０がその上に使用される表面に応じて、モジュール式床１０は、モジュール式床１０の高さを変更するために、１つ以上の脚部材２６を備えることもできる。
【０００７】
モジュール式床１０は、テント内またはプール上におけるような種々の用途において、モジュール式床１０を比較的迅速に設置できるように設計されている。本発明の着想を使用することにより、モジュール式床１０は、従来の床張りシステムを大幅に改良したものになる。本発明のモジュール式床１０により、床パネル２４を主桁２０に関して調整自在に位置決めすることもできるので、モジュール式床１０の融通性が増す。
【０００８】
主桁２０は、図２に最も明確に図示される第１の端部３０、および図３乃至４に最も明確に図示される第２の端部３２を備えた細長い形状を有する。主桁２０に所望の程度の構造的剛性を付与するために、主桁は好ましくは、上壁４０、下壁４２、および一対の側壁４４を備える。側壁４４は好ましくは、下壁４２の下方に延びて、以下で詳細に論ずるように、主桁２０の互いへの取り付けを容易にする。
【０００９】
主桁２０は好ましくは、上壁４０から延びる２つの取付構造５０を備える。取付構造５０は、床パネル２４を主桁２０へ取り付けるのに使用される。取付構造５０のそれぞれには、第１のセクション５２と第２のセクション５４が備えられ、これらのセクションは、互いにほぼ相補的な形状を有している。
【００１０】
第１と第２のセクション５２、５４の上面は、半円形状を有する。第１と第２のセクション５２と５４の間に溝５６が延びている。溝５６の壁は好ましくは、ネジが形成された面を有し、以下で詳細に論じるように床パネル２４の主桁２０への取付けを容易にする。
【００１１】
第１の端部３０に近接して、主桁２０は、側壁４４間に延びるボルト６０を有する。プラスチックスリーブ６２が好ましくは、ボルト６０を覆って設けられている。
【００１２】
第２の端部３２に近接して、主桁２０には、ロック機構７０が備えられ、これは、主桁２０を互いに取り付けるためにボルト６０と係合するようになっている。ロック機構７０は、概ねＵ字形状を有する。ロック機構７０の両側部には、ボルト６０を受容するための凹部７２が形成されている。
【００１３】
ロック機構７０は、ロック歯アッセンブリ７４も備える。ロック歯アッセンブリ７４は、ロック機構７０へ回動自在に取付けられていてロック位置へ付勢されている。ロック位置にあるとき、ロック歯アッセンブリ７４は、凹部７２をほぼ閉じて、ボルト６０を凹部７２内に保持する。
【００１４】
ロック歯アッセンブリ７４には、ハンドル部分７６が備えられ、これは、ロック位置（図３に示す）からロック解除位置（図４に示される）までロック歯アッセンブリ７４を動かすのを容易にする。
【００１５】
主桁２０を互いに取り付けるとき、主桁２０は、図５に図示されるように、一方の主桁２０の第１の端部３０が他方の主桁２０の第２の端部３２に隣接するように位置決めされる。図６に図示されるように、ハンドル部分７６が押下げられてロック歯アッセンブリ７４がロック解除位置まで動かされる際に、第１の端部３０は、第２の端部３２の高さまで降ろされる。
【００１６】
図７乃至８に図示されるように、横桁２２は、取付ブラケット７８を使用して主桁２０へ取付けられる。取付ブラケット７８は、下壁８４と上壁８６との間に延びる一対の側壁８０を備える。柱８２が側壁８０間に延びる。
【００１７】
取付ブラケット７８は、上歯９０と下歯９２を備える。上歯９０と下歯９２は、側壁４４の延長部分９４と係合するようになっている。
【００１８】
取付ブラケット７８が主桁２０に対して動くのを防止するために、プレート９６が、ボルト（図示しない）を使用して下壁８４へ取付けられている。プレート９６は、下壁４２の下に延びる。
【００１９】
横桁２２は、図９と１０に図示されるように、主セクション１００、および主セクション１００の一端部へ取付けられる端部セクション１０２を備える。端部セクション１０２は、一対の側壁１０４を有する。側壁１０４のそれぞれは、それから延びるフック１０６を有する。フック１０６は柱８２上に延びている。
【００２０】
ネジ１１０が好ましくは、側壁８０と側壁１０４を通って延びて、横桁２２を、主桁２０に対して固定位置に維持する。
【００２１】
２つの取付構造５０を有する主桁２０を使用することにより、隣接する床パネル２４を主桁２０へ取付けることができる。モジュール式床の両側に沿って、側桁１２０が好ましくは使用される。側桁１２０は、図１１の図示されるように、単一の取付構造５０だけを備える。
【００２２】
側桁１２０は、上壁１２２と一対の側壁１２４だけを備える別の形状を示している。側桁１２０を強化するために、木片１２６が、上壁１２２と一対の側壁１２４とにより形成される凹部内に配される。
【００２３】
当業者は、上端プレート、下端プレート、および上端プレートと下端プレートとの間に延びる中央セクションを備えたＩビーム形状を有する木材複合構造のような他の支持構造を本発明の着想に使用できることも分かるである。そのような支持構造により、モジュール式床をプール上のような大形構造に使用できるであろう。
【００２４】
床パネル２４は好ましくは、図１２乃至１３に図示されるように、ほぼ矩形の形状を有する。床パネル２４の好ましいサイズは、幅が約４フィートかつ長さが約８フィートである。というのは、床パネル２４をこれらの寸法で形成すると、床パネル２４を手で運べるからである。当業者は、本発明のこの着想を、床パネル２４の種々の形状とサイズに使用されるようにすることができることが分かるであろう。
【００２５】
床パネル２４は、被覆層１３０、および被覆層が取付けられる支持フレーム１３２を一般に備える。被覆層１３０は、従来の合板であるか、またはカーペットまたはタイルのようなもので仕上げられた上面を有することができる。
【００２６】
支持フレーム１３２は好ましくは、一対の端桁１３４、および端桁１３４間に延びる複数の支持桁１３６を備える。支持桁１３６の数と形状は、モジュール式床１０の所望の大きさに基づいて選択される。
【００２７】
支持桁１３６は好ましくは、図１４に図示されるように、上壁１４０、下壁１４２、および上壁１４０と下壁１４２との間に延びる一対の側壁１４４を有する。上壁１４０は好ましくは、側壁１４４を越えて延びて、支持桁１３６の被覆層１３０への取付を容易にする。
【００２８】
端桁１３４は好ましくは、図１５に図示されるように、端軌道１５０、および支持桁１３６と係合する複数のアダプタ１５２を有する。端軌道１５０は好ましくは、凹部１５４を形成するＣ形形状を有する。凹部１５４は、アダプタ１５２上の第１のセクション１５６を受容するようになっている。アダプタ１５２は端軌道１５０内に保持された状態で、その位置を調整するために、端軌道１５０に対して横方向に摺動自在である。
【００２９】
第１のセクション１５６に隣接して、アダプタ１５２は、第２のセクション１５８を有する。第２のセクション１５８は、好ましくは取付構造５０に一致する凹状である。それにより第２のセクション１５８は、取付構造５０に沿って床パネル２４を横方向に摺動するのを容易にする。
【００３０】
第１のセクション１５６と第２のセクション１５８の反対側において、アダプタ１５２には、延長部分１６０が備えられ、その延長部分は、端桁１３４を支持桁１３６へ装着するために、上壁１４０、下壁１４２、および側壁１４４により形成される凹部内に摺動するようにサイズが決められている。
【００３１】
床パネル２４は好ましくは、図１６に最も明確に図示されるように、ロックネジ１７０を使用して側桁２０へ取付けられる。ロックネジ１７０は、シャフト１７２、ハウジング１７４およびバネ１７６を一般に備える。
【００３２】
シャフト１７２は、第１の端部１８０および第２の端部１８２を有する。第１の端部１８０には好ましくは、六角状の凹部（図示しない）が形成されて、従来式の六角レンチを用いてロックネジ１７０を利用するのを容易にする。第２の端部１８２は、ネジが形成された面を有し、それにより、ロックネジ１７０が溝５６内のネジが形成された面と係合できる。
【００３３】
ハウジング１７４は、シャフト１７２の周りに延びて、図１７に図示されるように、アダプタ１５２と同様に、ロックネジ１７０を端桁１３４に対して固定位置に保持するのを容易にする。ロックネジ１７０を端桁１３４へ取付けることにより、ロックネジ１７０を忘れる可能性が少なくなる。
【００３４】
バネ１７６は、シャフト１７２をハウジング１７４に対して引込位置へ付勢するので、シャフト１７２は、モジュール式床１０の組立のための側桁２０に対する床パネル２４の摺動と干渉しない。
【００３５】
本発明のモジュール式床１０は、モジュール式床１０の両側に沿って付属部材を取付ける機能も備える。付属部材は好ましくは、付属部材取付部１８０を使用して、主桁２０または横桁２２へ取付けられる。
【００３６】
付属部材取付部１８０は、図１８に図示されるようにプレート形状を一般に有する。付属部材取付部１８０は、第１の複数の開口１８２および第２の複数の開口（不図示）を備える。第１の複数の開口１８２は、クリップ１８６を使用して付属部材取付部１８０を主桁２０または横桁２２へ装着するのに使用される。
【００３７】
第２の複数の開口１８４は、付属部材取付けブラケット１９０を付属部材取付部１８０へ取付けるのに使用される。付属部材取付けブラケット１９０は、付属部材の一部分を受容するための延長部分１９２を備える。付属部材取付部１８０は好ましくは、図１９に図示されるように、主桁２０へ離間した状態で取付けられる。
【００３８】
図２０に図示されるように、一組の階段のような付属部材１９４が、付属部材取付ブラケット１９０上に取付けられる。付属部材取付ブラケット１９０の一端部は好ましくは、図２１に図示されるように、リップ１９６を備えて、付属部材１９４を付属部材取付ブラケット１９０上に保持する。
【００３９】
付属部材１９４の別の形状には、付属部材取付部１８０へ取付けられる上下方向に向けた柱が含まれる。垂直方向に配向される柱は、手すり組立体(railing assembly)（図示しない）とともに使用される。
【００４０】
モジュール式床１０の高さに応じて、図２３乃至２６に図示されるように、モジュール式床１０の安定性をさらに向上させるために、主桁安定部材２００または横桁安定部材２０２を使用するのが望ましいことがある。
【００４１】
主桁安定部材２００は、使用形態（図２３）と保管形態（図２４）との間で回動自在である。使用形態の場合に主桁安定部材２００は、主桁２０と脚部材２６の両方へ取付けられる。保管形態の場合に主桁安定部材２００は、主桁２０の下面内にほぼ引込まれる。好ましくは、主桁安定部材２００を脚部材２６へ取付けるのに使用されるクリップ２０４が、保管形態の主桁安定部材２００を保持するのにも使用される。
【００４２】
同様に、横桁安定部材２０２は、使用形態（図２５）と保管形態（図２６）との間で回動自在である。使用形態の場合に横桁安定部材２０２は、横桁２２と脚部材２６の両方へ取付けられる。保管形態の場合に横桁安定部材２０２は、横桁２２とほぼ整列し、横桁安定部材２０２の両端部が、ネジで横桁２２へ取付けられる。横桁安定部材２０２のそれぞれは好ましくは、開口２１０の列を備える。開口２１０の列を使用することにより、開口の１つと横桁２２または脚部材２６上の開口との位置揃えが容易になる。
【００４３】
別途記さない限り、モジュール式床１０の構成部材は好ましくは、押出し成形されたアルミニウムから製作されて、比較的軽量のモジュール式床を形成する。しかしながら、当業者は、本発明の着想を使用してモジュール式床１０を他の材料から製作できることが分かるであろう。
【００４４】
作用において、主桁２０は、第１の端部３０が第２の端部３２に隣接するように配置される。主桁２０は、ロック機構７０を使用してボルト６０を係合することにより互いに取付けられる。この工程は、所望の長さが得られるまで繰返される。追加の主桁２０が同様な仕方で準備される。
【００４５】
ついで主桁２０は、フック９２を柱８２上に延ばすことにより横桁２２を使用して互いに取付けられる。ついでボルト９４が、取付側壁８０と側壁９０を通って延ばされる。この工程は、それにより格子を形成するまで必要に応じて繰返される。
【００４６】
次に、床パネル２４は、第２のセクション１５８が取付構造５０上に着座するように格子上に載置される。床パネル２４は、第２の端部１８２が溝５６のネジを形成した面と係合するまで、ロックネジ１７０をネジ込むことにより格子へ取付けられる。
【００４７】
本出願に開示される特徴、および参照によって組込まれる上述の出願に記載された特徴を、特定の状況に適するように混合し、かつ組合せできることが考えられる。種々の他の変形や変更が当業者には明らかである。
【図面の簡単な説明】
【００４８】
【図１】本発明に従うモジュール式床の透視図である。
【図２】モジュール式床に使用される主桁の側面図である。
【図３】ロック位置におけるロック機構を有する主桁の第２の端部の透視図である。
【図４】ロック解除位置におけるロック機構を有する主桁の第２の端部の透視図である。
【図５】互いに隣接する主桁の第１と第２の端部の位置決めを図示する側面図である。
【図６】主桁を互いに取付けできるように、ロック機構のロック解除位置までの移動を図示する側面図である。
【図７】モジュール式床に使用される取付ブラケットの側面図である。
【図８】取付ブラケットの正面図である。
【図９】主桁へ取付けられる取付ブラケットに隣接する横桁の斜視図である。
【図１０】主桁へ装着された横桁の斜視図である。
【図１１】側桁の別の形状の端面図である。
【図１２】床パネルの上面の斜視図である。
【図１３】床パネルの下面の斜視図である。
【図１４】床パネルの支持桁と端桁の分解斜視図である。
【図１５】床パネル用の端桁の斜視図である。
【図１６】モジュール式床に使用されるロックネジの斜視図である。
【図１７】床パネルへ装着されるロックネジの斜視図である。
【図１８】主桁へ装着される付属部材ブラケットの側面図である。
【図１９】２つの付属部材ブラケットを有する主桁へ取付けられる階段取付ブラケットの正面図である。
【図２０】階段取付ブラケットを使用してモジュール式床へ装着される階段組立体の側面図である。
【図２１】階段取付ブラケットを使用してモジュール式床へ装着される階段組立体の底面図である。
【図２２】横桁へ装着される付属部材ブラケットの別の形状の側面図である。
【図２３】使用形態における主桁安定部材の側面図である。
【図２４】保管形態における主桁安定部材の側面図である。
【図２５】使用形態における側桁安定部材の側面図である。
【図２６】保管形における側桁安定部材の側面図である。
【図１】
2006526717.tif 000003
【図２】
2006526717.tif 000004
【図３】
2006526717.tif 000005
【図４】
2006526717.tif 000006
【図５】
2006526717.tif 000007
【図６】
2006526717.tif 000008
【図７】
2006526717.tif 000009
【図８】
2006526717.tif 000010
【図９】
2006526717.tif 000011
【図１０】
2006526717.tif 000012
【図１１】
2006526717.tif 000013
【図１２】
2006526717.tif 000014
【図１３】
2006526717.tif 000015
【図１４】
2006526717.tif 000016
【図１５】
2006526717.tif 000017
【図１６】
2006526717.tif 000018
【図１７】
2006526717.tif 000019
【図１８】
2006526717.tif 000020
【図１９】
2006526717.tif 000021
【図２０】
2006526717.tif 000022
【図２１】
2006526717.tif 000023
【図２２】
2006526717.tif 000024
【図２３】
2006526717.tif 000025
【図２４】
2006526717.tif 000026
【図２５】
2006526717.tif 000027
【図２６】
2006526717.tif 000028
【国際調査報告】
2006526717.tif 000029